【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
容器のためのスパウトであって、
前記スパウトが、スパウト本体（１、１０１）及びスパウト対応部（２、２ｂ、１０２）を備え、前記スパウト本体（１、１０１）が、容器締結部（３）を特徴部として有し、前記スパウト本体（１、１０１）が、前記スパウト本体（１、１０１）から取外し不可能な一体部分である第１のゾーン（４、１０４）を備え、前記スパウト対応部（２、２ｂ、１０２）が、前記スパウト対応部（２、２ｂ、１０２）から取外し不可能な一体部分である最終ゾーン（６、１０６）を備え、前記スパウト本体（１、１０１）と前記スパウト対応部（２、２ｂ、１０２）とが、前記スパウトの最終位置において、互いに対して空間的に配置可能であり、前記スパウトの前記最終位置において、前記スパウト本体（１、１０１）の前記第１のゾーン（４、１０４）が、前記スパウト対応部（２、２ｂ、１０２）の前記最終ゾーン（６、１０６）と物理的に相互作用するように配置されており、前記スパウトの前記最終位置において、前記スパウト上に配置された出口開口部（７）が開いており、前記スパウト本体（１、１０１）を通り、前記出口開口部（７）への、前記出口開口部（７）を通る流体連通を提供し、
前記スパウトが最終構成ストッパ（２０、１２０）を特徴部として有し、前記スパウト対応部（２、２ｂ、１０２）の前記最終ゾーン（６、１０６）が、第１のサブゾーン（１１、１１１）及び第２のサブゾーン（１２、１１２）を特徴部として有し、前記第１のサブゾーン（１１、１１１）が、前記第２のサブゾーン（１２、１１２）と相互に重ならずに配置され、前記スパウトを、異なる２つの構成における最終位置に配置するようになっており、
前記２つの構成のうちの、前記最終位置の第１の構成では、前記スパウト本体（１、１０１）の前記第１のゾーン（４、１０４）の基準サブゾーン（１０、１１０）が、前記スパウト対応部（２、２ｂ、１０２）の前記最終ゾーン（６、１０６）の前記第１のサブゾーン（１１、１１１）と物理的に相互作用するように配置され、前記最終構成ストッパ（２０、１２０）が、前記スパウト本体（１、１０１）の前記第１のゾーン（４、１０４）の前記基準サブゾーン（１０、１１０）の、前記スパウト対応部（２、２ｂ、１０２）の前記最終ゾーン（６、１０６）の前記第１のサブゾーン（１１、１１１）から前記スパウト対応部（２、２ｂ、１０２）の前記最終ゾーン（６、１０６）の前記第２のサブゾーン（１２、１１２）への移動に対する物理的抵抗を与えるように配置されており、
前記２つの構成のうちの、前記最終位置の第２の構成では、前記スパウト本体（１、１０１）の前記第１のゾーン（４、１０４）の前記基準サブゾーン（１０、１１０）が、前記スパウト対応部（２、２ｂ、１０２）の前記最終ゾーン（６、１０６）の前記第２のサブゾーン（１２、１１２）と物理的に相互作用するように配置され、前記最終構成ストッパ（２０、１２０）が、前記スパウト本体（１、１０１）の前記第１のゾーン（４、１０４）の前記基準サブゾーン（１０、１１０）の、前記スパウト対応部（２、２ｂ、１０２）の前記最終ゾーン（６、１０６）の前記第２のサブゾーン（１２、１１２）から前記スパウト対応部（２、２ｂ、１０２）の前記最終ゾーン（６、１０６）の前記第１のサブゾーン（１１、１１１）への移動に対する物理的抵抗を与えるように配置されている、スパウトにおいて、
前記スパウト対応部（２、２ｂ、１０２）が、前記スパウト対応部（２、２ｂ、１０２）の前記出口開口部（７）と流体連通した機能要素（３０）を特徴部として有し、前記機能要素（３０）が、前記スパウト本体（１、１０１）から前記出口開口部（７）への前記流体連通の流れの方向に対し、前記出口開口部（７）の下流に配置されており、前記機能要素（３０）が、前記スパウトの前記最終位置において、前記出口開口部（７）の下流の前記流体連通に影響するように配置構成されていることを特徴とする、スパウト。
【請求項２】
前記スパウトは、前記スパウトが前記スパウトの最終位置にある場合、前記スパウト対応部（２、２ｂ、１０２）の前記最終ゾーン（６、１０６）を越えて、前記スパウト本体（１、１０１）の前記第１のゾーン（４、１０４）の前記基準サブゾーン（１０、１１０）が移動することに対する物理的抵抗を与えるように配置構成された、最終ゾーンストッパ（１２１）を特徴部として有することを特徴とする、請求項１に記載のスパウト。
【請求項３】
前記スパウトが前記スパウトの最終位置にある場合、前記スパウトが、前記スパウト対応部（２、２ｂ、１０２）の前記最終ゾーン（６、１０６）を越えて、前記スパウト本体（１、１０１）の前記第１のゾーン（４、１０４）の前記基準サブゾーン（１０、１１０）のあらゆる移動に対する物理的抵抗を与えるように構成されていることを特徴とする、請求項２に記載のスパウト。
【請求項４】
前記スパウト本体（１、１０１）の前記第１のゾーン（４、１０４）と、前記スパウト対応部（２、２ｂ、１０２）の前記最終ゾーン（６、１０６）とが、前記スパウトの前記最終位置への移動において、前記スパウト対応部（２、２ｂ、１０２）に対する前記スパウト本体（１、１０１）のらせん状の移動経路を規定するガイド構成要素（２２）を特徴部として有することを特徴とする、請求項１〜３のいずれか一項に記載のスパウト。
【請求項５】
前記スパウトは、少なくとも前記スパウトが前記スパウトの前記最終位置に少なくとも一度置かれるまで、前記出口開口部（７）への流体連通、及び／又は、前記出口開口部（７）を通しての流体連通を防止するように前記スパウトに配置されたスパウトのシール（９）を特徴部として有することを特徴とする、請求項１〜４のいずれか一項に記載のスパウト。
【請求項６】
前記機能要素（３０）が、前記スパウトの前記最終位置における流体連通に物質を添加するように配置構成されていることを特徴とする、請求項１〜５のいずれか一項に記載のスパウト。
【請求項７】
前記機能要素（３０）が、前記スパウトを通して流体連通する液体ダクト（３１）と、希釈剤ダクト（３２）を有する希釈剤流入部と、液体を希釈剤と混合するための混合チャンバ（３３）とを備える混合ユニットであり、前記希釈剤ダクト（３２）が、前記混合チャンバ（３３）の前又は前記混合チャンバ（３３）内において、希釈剤の流れに関し、前記液体の流れと交差するように、前記液体ダクト（３１）と関連して配置されている、請求項６に記載のスパウト。
【請求項８】
前記スパウト対応部（２、２ｂ、１０２）が、前記スパウト対応部（２、２ｂ、１０２）から取外し不可能な一体部分である装着ゾーン（５、１０５）を備え、前記スパウト本体（１、１０１）と前記スパウト対応部（２、２ｂ、１０２）とが、前記スパウトの装着位置において、互いに対して空間的に配置可能であり、前記スパウトの前記装着位置において、前記スパウト本体（１、１０１）の前記第１のゾーン（４、１０４）が、前記スパウト対応部（２、２ｂ、１０２）の前記装着ゾーン（５、１０５）と物理的に相互作用するように配置されており、前記スパウトの前記装着位置において、前記スパウト本体（１、１０１）の前記第１のゾーン（４、１０４）の前記基準サブゾーン（１０、１１０）が、前記最終位置の前記第１の構成に繋がる前記装着ゾーン（５、１０５）内の第１の位置から、前記最終位置の前記第２の構成に繋がる前記装着ゾーン（５、１０５）内の第２の位置に再配置することができることを特徴とする、請求項１〜７のいずれか一項に記載のスパウト。
【請求項９】
前記スパウトが、前記装着位置から前記最終位置への前記スパウト本体（１、１０１）の移動経路に沿って配置されたバリア（２５、１２５）を特徴部として有し、前記バリア（２５、１２５）が、少なくとも前記スパウトが前記スパウトの前記最終位置に少なくとも一度置かれるまで、前記装着位置から前記最終位置への前記スパウト本体（１、１０１）の移動に対する物理的抵抗を提供するように配置構成されていることを特徴とする、請求項８に記載のスパウト。
【請求項１０】
前記スパウトが前記スパウトの前記装着位置にある場合、前記装着ゾーン（５、１０５）から前記最終ゾーン（６、１０６）への移動に対する物理的抵抗を生じないように配置された装着ゾーンストッパ（１２４）を除き、前記スパウトが、前記スパウト対応部（２、２ｂ、１０２）の前記装着ゾーン（５、１０５）を越えて、前記スパウト本体（１、１０１）の前記第１のゾーン（４、１０４）の前記基準サブゾーン（１０、１１０）の移動に対する物理的抵抗を与えるように配置構成された、前記装着ゾーンストッパ（１２４）を特徴部として有することを特徴とする、請求項８又は９に記載のスパウト。
【請求項１１】
バリア（２５、１２５）が、前記装着ゾーンストッパ（１２４）の前記物理的抵抗より低い、移動に対する物理的抵抗を提供するように配置構成されていることを特徴とする、請求項１０に記載のスパウト。
【請求項１２】
前記スパウトが前記スパウトの前記装着位置にある場合、前記装着ゾーン（５、１０５）から前記最終ゾーン（６、１０６）への移動を除き、前記スパウトが、前記スパウト対応部（２、２ｂ、１０２）の前記装着ゾーン（５、１０５）を越えて、前記スパウト本体（１、１０１）の前記第１のゾーン（４、１０４）の前記基準サブゾーン（１０、１１０）のあらゆる移動に対する物理的抵抗を与えるように配置構成されていることを特徴とする、請求項１０又は１１に記載のスパウト。
【請求項１３】
前記スパウトが装着構成ストッパ（１４０）を特徴部として有し、前記スパウト対応部（２、２ｂ、１０２）の前記装着ゾーン（５、１０５）が、第１のサブゾーン（１１３）及び第２のサブゾーン（１１４）を特徴部として有し、前記装着ゾーン（５、１０５）の前記第１のサブゾーン（１１３）が、前記装着ゾーン（５、１０５）の前記第２のサブゾーン（１１４）と相互に重ならずに配置され、前記スパウトを、異なる２つの構成における装着位置に配置するようになっており、
前記２つの構成のうちの、前記装着位置の第１の装着構成では、前記スパウト本体（１、１０１）の前記第１のゾーン（４、１０４）の前記基準サブゾーン（１０、１１０）が、前記スパウト対応部（２、２ｂ、１０２）の前記装着ゾーン（５、１０５）の前記第１のサブゾーン（１１３）と物理的に相互作用するように配置され、前記装着構成ストッパ（１４０）が、前記スパウト本体（１、１０１）の前記第１のゾーン（４、１０４）の前記基準サブゾーン（１０、１１０）の、前記スパウト対応部（２、２ｂ、１０２）の前記装着ゾーン（５、１０５）の前記第１のサブゾーン（１１３）から前記スパウト対応部（２、２ｂ、１０２）の前記装着ゾーン（５、１０５）の前記第２のサブゾーン（１１４）への移動に対する物理的抵抗を与えるように配置されており、
前記２つの構成のうちの、前記装着位置の第２の装着構成では、前記スパウト本体（１、１０１）の前記第１のゾーン（４、１０４）の前記基準サブゾーン（１０、１１０）が、前記スパウト対応部（２、２ｂ、１０２）の前記装着ゾーン（５、１０５）の前記第２のサブゾーン（１１４）と物理的に相互作用するように配置され、前記装着構成ストッパ（１４０）が、前記スパウト本体（１、１０１）の前記第１のゾーン（４、１０４）の前記基準サブゾーン（１０、１１０）の、前記スパウト対応部（２、２ｂ、１０２）の前記装着ゾーン（５、１０５）の前記第２のサブゾーン（１１４）から前記スパウト対応部（２、２ｂ、１０２）の前記装着ゾーン（５、１０５）の前記第１のサブゾーン（１１３）への移動に対する物理的抵抗を与えるように配置されており、
前記装着位置の前記第１の装着構成にある前記スパウトが、バリア（２５、１２５）の前記物理的抵抗を越える場合に、前記最終位置の前記第１の構成に移動するように配置構成されており、前記バリア（２５、１２５）の前記物理的抵抗を越える場合に、前記最終位置の前記第２の構成に移動することが防止されるように配置構成されていることを特徴とする、請求項８〜１２のいずれか一項に記載のスパウト。